(57)【特許請求の範囲】
【請求項１】
ＧＰＳ受信機と、
前記ＧＰＳ受信機がＧＰＳ衛星からの信号を受信できなくなったとき、周辺の他の通信装置に対し、当該他の通信装置が無線信号を送受信するフレームを生成する際に参照する信号を特定できる情報に基づいて、無線信号を送受信するフレームを同期させる他の通信装置を決定する制御部と、を備え、
前記制御部は、前記情報に基づいて、前記周辺の他の通信装置のうち、前記ＧＰＳ衛星からの信号を参照してフレームを生成していない他の通信装置を、前記同期させる他の通信装置として決定する、ことを特徴とする通信装置。
【請求項２】
請求項１に記載の通信装置であって、
前記ＧＰＳ衛星からの信号を参照してフレームを生成していない前記他の通信装置とは、有線回線を介して回線クロックを取得する前記他の通信装置である、ことを特徴とする通信装置。
【請求項３】
請求項１または２に記載の通信装置であって、
前記制御部は、前記情報を前記周辺の他の通信装置に要求するものであって、
前記制御部は、前記情報を要求する他の通信装置を、当該他の通信装置から送信される無線信号の受信品質に基づき決定する、ことを特徴とする通信装置。
【請求項４】
請求項１または２に記載の通信装置であって、
前記制御部は、前記情報を前記周辺の他の通信装置に要求するものであって、
前記制御部は、前記情報を要求する他の通信装置を、当該他の通信装置から送信される無線信号に含まれる、フレーム同期タイミングを決定する際の基準となる基準通信装置からの従属次数に基づき決定する、ことを特徴とする通信装置。
【請求項５】
請求項１または２に記載の通信装置であって、
前記通信装置は、基地局であり、
前記制御部は、無線信号を送受信するフレームを同期させる他の通信装置の決定を、移動局との無線通信時には行わない、ことを特徴とする通信装置。
【請求項６】
複数の通信装置を含む、無線通信システムであって、
一の通信装置が、
ＧＰＳ受信機と、
前記ＧＰＳ受信機がＧＰＳ衛星からの信号を受信できなくなったとき、周辺の他の通信装置に対し、当該他の通信装置が無線信号を送受信するフレームを生成する際に参照する信号を特定できる情報に基づいて、無線信号を送受信するフレームを同期させる他の通信装置を決定する制御部と、を備え、
前記制御部は、前記情報に基づいて、前記周辺の他の通信装置のうち、前記ＧＰＳ衛星からの信号を参照してフレームを生成していない他の通信装置を、前記同期させる他の通信装置として決定する、ことを特徴とする無線通信システム。
【請求項７】
ＧＰＳ受信機を有する通信装置の通信制御方法であって、
前記ＧＰＳ受信機がＧＰＳ衛星からの信号を受信できなくなったとき、周辺の他の通信装置に対し、当該他の通信装置が無線信号を送受信するフレームを生成する際に参照する信号を特定できる情報に基づいて、前記周辺の他の通信装置のうち、前記ＧＰＳ衛星からの信号を参照してフレームを生成していない他の通信装置を、前記同期させる他の通信装置として決定する、ことを特徴とする通信制御方法。
【発明の詳細な説明】
【技術分野】
【０００１】
本発明は、無線通信を行う通信装置、無線通信システム、および通信制御方法に関するものである。
【背景技術】
【０００２】
無線通信システム（例えば、ＴＤＤ／ＴＤＭＡ方式を採用するＰＨＳ）では、複数の基地局が送信する無線信号のタイミングにずれがあると、ハンドオフ等の処理に支障が生じたり、基地局間で干渉が生じたりする。
【０００３】
そのため、基地局間で無線信号を送受信するフレームのタイミングを一致させる処理（フレーム同期処理）を行う。このフレーム同期処理では、特定の基地局が送信する制御信号を、他の基地局が受信し、当該制御信号の受信タイミングに基づいて当該他の基地局が予め生成したフレームのタイミングを補正する処理を行っている。
【０００４】
ここで、特定の基地局とは、フレーム同期処理を行う際の基準となるよう設定されている基地局である。そして、特定の基地局は、例えば、有線回線から供給される回線クロックを利用して決定した無線信号の送信タイミング及び受信タイミングにてフレームを生成する。そして、他の基地局は、特定の基地局と同様の手法で予め生成したフレームのタイミングを、特定の基地局が生成したフレームを基準に補正する。
【０００５】
また、特定の基地局が送信タイミング及び受信タイミングを決定するにあたり、回線クロックを利用する代わりに、ＧＰＳ受信機を具備してＧＰＳ衛星からの信号（１ＰＰＳ信号）を利用する技術が提案されている（例えば、特許文献１）。そして、他の基地局、例えば、ＧＰＳ受信機を具備しない基地局は、ＧＰＳ受信機を有する基地局に階層的に同期をして送信タイミング及び受信タイミングを決定する。
【先行技術文献】
【特許文献】
【０００６】
【特許文献１】特開２０００−１６４８３７号公報
【発明の概要】
【発明が解決しようとする課題】
【０００７】
ＧＰＳ受信機を具備する基地局は、ＧＰＳ衛星からの信号が受信できなくなると、自局でフレームのタイミングを決定できなくなる。この場合、ＧＰＳ受信機を具備する他の基地局にフレームのタイミングを同期させることが考えられる。
【０００８】
しかしながら、他の基地局も、ＧＰＳ衛星からの信号を受信できなくなっている可能性が高い。そして、このような他の基地局に同期をさせても、無線信号の送受信タイミングにずれが生じる可能性が高い。
【０００９】
本発明は、このような課題に鑑み、適切なフレームのタイミングで無線信号を送受信している通信装置を同期先として決定可能な通信装置、無線通信システム、および通信制御方法を提供することを目的としている。
【課題を解決するための手段】
【００１０】
上記課題を解決するために、本発明にかかる代表的な構成は、通信装置であって、所定条件を満たすと、周辺の他の通信装置に対し、当該他の通信装置が無線信号を送受信するフレームを生成する際に参照する信号を特定できる情報を要求し、当該情報を受信すると、当該情報に基づいて、無線信号を送受信するフレームを同期させる他の通信装置を決定する制御部、を備えることを特徴とする。
【００１１】
また、前記通信装置は、ＧＰＳ受信機をさらに備え、前記所定条件とは、前記ＧＰＳ受信機において、フレームを生成する際に参照するＧＰＳ衛星からの信号を受信できなくなることを意味してもよい。
【００１２】
また、前記制御部は、前記情報とし、ＧＰＳ衛星からの信号を参照してフレームを生成しているか否かを特定できる情報を前記他の通信装置に要求してもよい。
【００１３】
また、前記制御部は、ＧＰＳ衛星からの信号を参照してフレームを生成していない前記他の基地局を、前記同期させる他の基地局として決定してもよい。
【００１４】
また、ＧＰＳ衛星からの信号を参照してフレームを生成していない前記他の通信装置とは、有線回線を介して回線クロックを取得する前記他の通信装置であってもよい。
【００１５】
また、前記制御部は、前記情報を要求する他の通信装置を、当該他の通信装置から送信される無線信号の受信品質に基づき決定してもよい。
【００１６】
また、前記制御部は、前記情報を要求する他の通信装置を、当該他の通信装置から送信される無線信号に含まれる、フレーム同期タイミングを決定する際の基準となる基準通信装置からの従属次数に基づき決定してもよい。
【００１７】
また、前記通信装置は、基地局であり、前記制御部は、無線信号を送受信するフレームを同期させる他の通信装置の決定を、移動局との無線通信時には行わなくてもよい。
【００１８】
上記課題を解決するために、本発明にかかる他の構成は、通信装置であって、周辺の他の通信装置が所定条件を満たしたときに、当該他の通信装置から、無線信号を送受信するフレームを生成する際に参照する信号を特定できる情報を要求されると、当該フレームを生成する際に参照する信号を特定できる情報を、当該他の無線通信に対して送信することを特徴とする。
【００１９】
上記課題を解決するために、本発明にかかる他の構成は、複数の通信装置を含む、無線通信システムであって、一の通信装置が、所定条件を満たすと、周辺の他の通信装置に対し、当該他の通信装置が無線信号を送受信するフレームを生成する際に参照する信号を特定できる情報を要求し、当該情報を受信すると、当該情報に基づいて、無線信号を送受信するフレームを同期させる他の通信装置を決定する制御部、を備えることを特徴とする。
【００２０】
上記課題を解決するために、本発明にかかる他の構成は、所定条件を満たすと、周辺の他の通信装置に対し、当該他の通信装置が無線信号を送受信するフレームを生成する際に参照する信号を特定できる情報を要求し、当該情報を受信すると、当該情報に基づいて、無線信号を送受信するフレームを同期させる他の通信装置を決定する、ことを特徴とする。
【発明の効果】
【００２１】
本発明によれば、フレームの適切なタイミングを設定できる同期先を決定することができる。
【図面の簡単な説明】
【００２２】
【図１】本実施形態に係る無線通信システムの概略的な構成を示した図である。
【図２】本実施形態に係る基地局の概略的な構成を示したブロック図である。
【図３】本実施形態に係る基地局の概略的な構成を示したブロック図である。
【図４】本実施形態に係る基地局における無線通信処理を示したフローチャートである。
【図５】本実施形態に係る基地局における無線通信処理を示したフローチャートである。
【発明を実施するための形態】
【００２３】
以下、本発明の一実施形態を図面に基づいて詳細に説明する。
【００２４】
図１は、本発明の一実施形態に係る無線通信システムの構成を示す図である。無線通信システム１０は、通信装置として複数の基地局（基地局２０、３０）と、ネットワーク４０と、から構成される。複数の基地局には、ＧＰＳ受信機を具備する基地局２０（２０ａ、２０ｂ）と、ＧＰＳ受信機を具備しない基地局３０（３０ｍ、３０ｎ）と、が含まれる（詳細は後述する）。
【００２５】
基地局２０および基地局３０は、移動局（図示しない）と無線通信を行う。基地局２０および基地局３０は、ネットワーク４０からデータを受信し、当該データを移動局に送信する。また、基地局２０および基地局３０は、移動局からデータを受信し、ネットワーク４０に送信する。さらに、各基地局は、無線通信によりデータを他の基地局に送信することができる。
【００２６】
また、基地局２０および基地局３０は、他の基地局の何れかとフレームのタイミングを一致させるため、フレーム同期処理を行っている。ここで、基地局２０ａは、自局が生成したフレームにおける無線信号の送信タイミングおよび受信タイミングが、他の基地局がフレーム同期処理を行う際の基準となるよう設定されている基準基地局（１次基地局）である。そして、基地局２０ｂと基地局３０ｍは、基地局２０ａが送信する下り制御信号の受信タイミングを利用して、各々が生成したフレームのタイミングを補正する２次基地局である。また、基地局３０ｎは、基地局３０ｍが送信する下り制御信号の受信タイミングを利用して、予め生成したフレームのタイミングを補正する３次基地局である。以下、このように基準基地局を基準として階層的にフレームのタイミングを補正しているｎ次基地局（ｎは１以上の整数）における「ｎ次」を従属次数と呼ぶ。
【００２７】
図２は、本実施形態に係る基地局の構成を示す図である。基地局２０は、通信部２１０と、ＧＰＳ受信機２２０と、インターフェース（Ｉ／Ｆ）部２３０と、記憶部２４０と、制御部２５０と、アンテナＡＮＴとを備えている。
【００２８】
通信部２１０は、アンテナＡＮＴを介して移動局から送信される上り無線信号または他の基地局から送信される下り無線信号を受信してベースバンド信号に変換（ダウンコンバート）後に、復調及び復号処理を行うことでデータを得る。通信部２１０は、得られたデータを制御部２５０に出力する。
【００２９】
また、通信部２１０は、制御部２５０からのデータの符号化及び変調を行ってベースバンド信号を得た後に、該ベースバンド信号を下り無線信号に変換（アップコンバート）する。通信部２１０は、アンテナＡＮＴを介して移動局に下り無線信号または他の基地局に上り無線信号を送信する。
【００３０】
ＧＰＳ受信機２２０は、ＧＰＳから送信される信号（１ＰＰＳ信号）を受信する。そして、ＧＰＳ受信機２２０は、受信した信号を制御部２５０に出力する。
【００３１】
Ｉ／Ｆ部２３０は、ネットワーク４０から移動局宛のデータを受信する。また、Ｉ／Ｆ部２３０は、移動局から受信したデータを、ネットワーク４０に向けて送信する。さらに、Ｉ／Ｆ部２３０は、ネットワーク４０を介して、または、直接に、他の基地局とデータを送受信する。
【００３２】
記憶部２４０は、例えばメモリによって構成され、基地局２０における制御などに用いられる各種情報が記憶される。また、記憶部２４０には、フレーム同期処理を行う際に利用する、基準基地局からの従属次数（例えば、図１の基地局２０ｂは１次である。）が記憶される。さらに、記憶部２４０は、自局のセルＩＤ（識別情報）に関する情報が記憶されるており、当該識別情報には、自局の従属次数に関する情報が含められる。
【００３３】
制御部２５０は、例えばＣＰＵによって構成され、基地局２０が具備する各種機能を制御する。また、制御部２５０は、基地局２０の立ち上げ時や、移動局と無線通信を行わない予め定められた期間といった所定のタイミングで、ＧＰＳ受信機２２０から出力された１ＰＰＳ信号を用いて、無線信号を送受信するフレーム（無線信号の送受信タイミング）を新たに生成する。そして、基準基地局ではない基地局２０の制御部２５０は、通信部２１０で受信する他の基地局から送信される下り制御信号の受信タイミングを利用して、生成したフレームのタイミング（無線信号の送受信タイミング）を補正する。
【００３４】
一方、無線信号を送受信するフレームを生成するために利用する１ＰＰＳ信号を、ＧＰＳ受信機２２０から取得できない場合、制御部２５０は、自局のフレームを同期させる他の基地局を新たに決定する。このとき、制御部２５０は、新たな同期先となる他の基地局を決定するにあたり、以下の処理を行う。
【００３５】
まず、１ＰＰＳ信号をＧＰＳ受信機２２０から取得できないことを検出した制御部２５０は、周辺に存在する他の基地局が送信する下り制御信号を、通信部２１０を介して受信する。制御部２５０は、周辺の他の基地局から受信した下り制御信号の受信品質（例えば、ＲＳＳＩ）や、受信した下り制御信号に含まれる他の基地局の識別情報に含まれる、基準基地局を基準とする従属次数を示す情報を利用して、同期先候補となる他の基地局を特定する。制御部２５０は、この同期先候補の特定にあたり、他の基地局を単数特定してもよいし、複数特定して優先順位を設定しておいてもよい。制御部２５０は、複数の同期先候補を特定するにあたり、例えば、従属次数を用いて順位を設定し、同じ次数の他の基地局が複数存在する場合には、これらの各基地局から送信される無線信号の受信品質が高いものから優先順位を定めてよい。
【００３６】
次に、制御部２５０は、特定した同期先候補となる他の基地局に対し、無線信号を送受信するフレームを生成する際に参照する信号を特定できる情報を、通信部２１０を介して要求する。参照する信号を特定できる情報としては、他の基地局の機種を示す情報であったり、ＧＰＳ受信機で受信する１ＰＰＳを参照してフレームを生成しているか、または、有線回線を介して取得した回線クロックを参照してフレームを生成しているかを示す情報であればよい。なお、制御部２５０が、他の基地局の機種を示す情報を利用する場合には、当該機種の他の基地局が、ＧＰＳ受信機で受信する１ＰＰＳを参照してフレームを生成しているか、または、有線回線を介して取得した回線クロックを参照してフレームを生成しているかを判断するために、機種と、当該機種がフレームを生成する際に参照する信号とを対応付けた情報を記憶部２４０に予め記憶させておく。
【００３７】
そして、制御部２５０は、要求後、他の基地局から、応答としてフレームを生成する際に参照する信号を特定できる情報を受信し、当該他の基地局が、ＧＰＳ受信機で受信する１ＰＰＳ信号を参照していると判断した場合は、当該他の基地局を同期先に決定しない。一方、他の基地局が、ＧＰＳ受信機で受信する１ＰＰＳ信号を参照していないと判断した場合は、当該他の基地局を同期先に決定する。
【００３８】
その後、新たな同期先の基地局を決定した制御部２５０は、同期先の基地局となった他の基地局が送信する下り制御信号の受信タイミングを利用して、当該他の基地局が無線信号を送受信するフレームのタイミング（無線信号の送受信タイミング）を判断し、当該フレームのタイミングを自局が無線信号を送受信するフレームのタイミングに設定する。
【００３９】
一方、制御部２５０は、他の基地局から、フレームを生成する際に参照する信号を特定できる情報を要求されると、当該要求に対する応答とし、自局の機種を示す情報であったり、ＧＰＳ受信機で受信する１ＰＰＳを参照していることを示す情報を送信する。なお、参照する信号を特定できる情報は、予め記憶部２４０に記憶させておいてよい。
【００４０】
図３は、本実施形態に係る基地局の構成を示す図である。基地局３０は、通信部３１０と、回線クロック取得部３２０と、インターフェース（Ｉ／Ｆ）部３３０と、記憶部３４０と、制御部３５０と、アンテナＡＮＴとを備えている。
【００４１】
通信部３１０は、アンテナＡＮＴを介して移動局から送信される上り無線信号または他の基地局から送信される下り無線信号を受信してベースバンド信号に変換（ダウンコンバート）後に、復調及び復号処理を行うことでデータを得る。通信部３１０は、得られたデータを制御部３５０に出力する。
【００４２】
また、通信部３１０は、制御部３５０からのデータの符号化及び変調を行ってベースバンド信号を得た後に、該ベースバンド信号を下り無線信号に変換（アップコンバート）する。通信部３１０は、アンテナＡＮＴを介して移動局に下り無線信号または他の基地局に上り無線信号を送信する。
【００４３】
回線クロック取得部３２０は、有線回線を介して供給されるクロック信号を定期的に取得する。そして、回線クロック取得部３２０は、取得したクロック信号を制御部３５０に出力する。
【００４４】
Ｉ／Ｆ部３３０は、ネットワーク４０から移動局宛のデータを受信する。また、Ｉ／Ｆ部３３０は、移動局から受信したデータを、ネットワーク４０に向けて送信する。さらに、Ｉ／Ｆ部３３０は、ネットワーク４０を介して、または、直接に、他の基地局とデータを送受信する。
【００４５】
記憶部３４０は、例えばメモリによって構成され、基地局３０における制御などに用いられる各種情報が記憶される。また、記憶部３４０には、フレーム同期処理を行う際に利用する、基準基地局からの従属次数（例えば、図１の基地局３０ｎは３次である。）が記憶される。さらに、記憶部３４０は、自局のセルＩＤ（識別情報）に関する情報が記憶されるており、当該識別情報には、自局の従属次数に関する情報が含められる。
【００４６】
制御部３５０は、例えばＣＰＵによって構成され、基地局３０が具備する各種機能を制御する。また、制御部３５０は、基地局３０の立ち上げ時や、移動局と無線通信を行わない予め定められた期間といった所定のタイミングで、回線クロック取得部３２０から出力されたクロック信号を用いて、無線信号を送受信するフレームを生成する。そして、基準基地局ではない基地局３０の制御部３５０は、通信部３１０で受信する他の基地局から送信される下り制御信号の受信タイミングを利用して、生成したフレームのタイミング（無線信号を送受信する送受信タイミング）を補正する。
【００４７】
一方、制御部３５０は、他の基地局から、参照する信号を特定できる情報を要求されると、当該要求に対する応答とし、自局の機種を示す情報であったり、有線回線を介して取得した回線クロックを参照していることを示す情報を送信する。なお、参照する信号を特定できる情報は、予め記憶部３４０に記憶させておいてよい。
【００４８】
次に、無線通信システム１０における基地局２０および基地局３０の無線通信処理を、図４，５を用いて説明する。
【００４９】
図４は、図２に示される基地局２０における通信処理を示すフローチャートである。
【００５０】
まず、図４のステップＳ４０１において、基地局３０の制御部２５０は、基地局２０の立ち上げ時や、移動局と無線通信を行わない予め定められた期間といった所定のタイミングになると、ＧＰＳ受信機２２０から出力される１ＰＰＳ信号の取得を試みる。
【００５１】
制御部２５０は、ＧＰＳ受信機２２０から１ＰＰＳ信号を取得できた場合（ステップＳ４０２Ｙｅｓに相当）、ステップＳ４０９において、取得した１ＰＰＳ信号を用いてフレームを生成する。
【００５２】
ステップＳ４１０において、制御部２５０は、同期先の他の基地局から送信される下り制御信号の受信タイミングを利用して、生成したフレームの送受信タイミングを補正し、処理を終了する。
【００５３】
一方、制御部２５０は、ＧＰＳ受信機２２０から１ＰＰＳ信号を取得できない場合（ステップＳ４０２Ｎｏに相当）、ステップＳ４０３において、新たに、同期先候補となる他の基地局を特定する。
【００５４】
ステップＳ４０４において、制御部２５０は、ステップＳ４０３において特定した同期先候補となる他の基地局に対して、無線信号を送受信するフレームを生成する際に参照する信号を特定できる情報を要求する。
【００５５】
ステップＳ４０５において、制御部２５０は、同期先候補となる他の基地局から、Ｓ４０４における要求の応答として、フレームを生成する際に参照する信号を特定できる情報を受信する。
【００５６】
ステップＳ４０６において、制御部２５０は、Ｓ４０５において受信した、フレームを生成する際に参照する信号を特定できる情報から、他の基地局が、回線クロック信号を参照しているか否か判断する。
【００５７】
制御部２５０は、他の基地局が、回線クロック信号を参照している場合（ステップＳ４０６Ｙｅｓ）、ステップＳ４０７において、当該他の基地局を、新たな同期先の基地局に決定する。
【００５８】
そして、ステップＳ４０８において、制御部２５０は、Ｓ４０６において決定した、同期先の基地局から送信される下り制御信号の受信タイミングを利用して、無線信号を送受信するフレームのタイミング（無線信号の送受信タイミング）を判断し、当該フレームのタイミングを自局が無線信号を送受信するフレームのタイミングに設定する。
【００５９】
一方、制御部２５０は、他の基地局が、回線クロック信号を参照していない場合（ステップＳ４０６Ｎｏ）、ステップＳ４０３に移行し、次の同期先候補を特定する。
【００６０】
図５は、図２に示される基地局２０、または、図３に示される基地局３０における通信処理を示すフローチャートである。
【００６１】
ステップＳ５０１において、基地局２０の制御部２５０、または、基地局３０の制御部３５０は、他の基地局から、フレームを生成する際に参照する信号を特定できる情報を要求される。
【００６２】
ステップＳ５０２において、制御部２５０、または、制御部３５０は、ステップＳ５０１において受信した要求に対する応答とし、記憶部２４０、または、記憶部３４０に記憶される、フレームを生成する際に参照する信号を特定できる情報を、要求した他の基地局に対して送信して処理を終了する。
【００６３】
次に、図１に示される無線通信システム１０における基地局２０ｂが、上述の図４で示される無線通信処理を行う場合を例として述べる。また、この場合、無線通信システム１０における基地局２０ａ、基地局３０ｍ，３０ｎのいずれかが図５で示される無線通信処理を行うものとする。
【００６４】
基地局２０ｂの制御部２５０は、所定のタイミングとなったため、ＧＰＳ受信機２２０から出力される１ＰＰＳ信号を取得しようとする（ステップＳ４０１）。しかしながら、制御部２５０は、ＧＰＳ受信機２２０から１ＰＰＳ信号を取得できないため（ステップＳ４０２Ｎｏ）、新たに、同期先候補となる他の基地局を特定する（ステップＳ４０３）。
【００６５】
基地局２０ｂの制御部２５０は、同期先候補となる他の基地局を特定するにあたり、まず、他の基地局から送信される下り制御信号を受信する。ここでは、基地局２０ａ、地局３０ｍ，３０ｎから送信される下り制御信号を受信したとする。そして、基地局２０ｂの制御部２５０は、他の基地局から受信した各下り制御信号の受信品質であったり、受信した下り制御信号に含まれる他の基地局の識別情報に含まれる従属次数を利用し、同期先候補を特定する。ここでは、基地局２０ａが送信する下り制御信号の受信品質が最も良く、さらに、基地局２０ａが基準基地局（１次基地局）であることから、当該基地局２０ａを同期先候補として特定する。
【００６６】
次に、基地局２０ｂの制御部２５０は、基地局２０ａに対して、フレームを生成する際に参照する信号を特定できる情報を要求する（ステップＳ４０４）。基地局２０ａは、フレームを生成する際に参照する信号を特定できる情報を要求されると（ステップＳ５０１）、当該要求に対する応答とし、自局が、自局の機種を示す情報であったり、ＧＰＳ受信機で受信する１ＰＰＳを参照していることを示す情報を送信する（ステップＳ５０２）。
【００６７】
基地局２０ｂの制御部２５０は、基地局２０ａから応答となる、フレームを生成する際に参照する信号を特定できる情報を受信する（ステップＳ４０５）。制御部２５０は、受信した応答から、基地局２０ａが回線クロック信号を参照していないと判断すると、基地局２０ａを同期先としないことを決定し、次の同期先候補を特定する。
【００６８】
基地局２０ｂの制御部２５０は、次に、基地局３０ｍおよび３０ｎが送信する下り制御信号の受信品質がほぼ同等であって、さらに、基地局３０ｍが２次基地局で、基地局３０ｎが３次基地局である場合、従属次数の少ない基地局３０ｍを同期先候補として特定する（ステップＳ４０３）。
【００６９】
次に、基地局２０ｂの制御部２５０は、基地局３０ｍに対して、フレームを生成する際に参照する信号を特定できる情報を要求する（ステップＳ４０４）。基地局３０ｍは、フレームを生成する際に参照する信号を特定できる情報を要求されると（ステップＳ５０１）、当該要求に対する応答とし、自局が、自局の機種を示す情報であったり、有線回線を介して取得した回線クロック信号を参照していることを示す情報を送信する（ステップＳ５０２）。
【００７０】
基地局２０ｂの制御部２５０は、基地局３０ｍから応答となる、フレームを生成する際に参照する信号を特定できる情報を受信する（ステップＳ４０５）。制御部２５０は、受信した応答から、基地局３０ｍが回線クロック信号を参照していると判断すると（ステップＳ４０６Ｙｅｓに相当）、基地局３０ｍを同期先に決定する（ステップＳ４０７）。そして、制御部２５０は、基地局３０ｍから送信される下り制御信号の受信タイミングを利用して、無線信号を送受信するフレームのタイミング（無線信号の送受信タイミング）を判断し、当該フレームのタイミングを自局が無線信号を送受信するフレームのタイミングに設定する。
【００７１】
以上、本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００７２】
例えば、各部材、各手段、各ステップなどに含まれる機能などは論理的に矛盾しないように再配置可能であり、複数の手段やステップなどを１つに組み合わせたり、或いは分割したりすることが可能である。
【００７３】
また、上記の実施例においては、同期先候補として特定した１の他の基地局にのみ無線信号を送受信するフレームを生成する際に参照する信号を特定できる情報を要求していたが、下り制御信号を受信できた全ての他の基地局に対して要求してもよい。この場合、応答となる、フレームを生成する際に参照する信号を特定できる情報を受信後に、下り制御信号の受信品質や、受信した下り制御信号に含まれる他の基地局の識別情報に含まれる、基準基地局から介在する他の基地局の数を示す情報を示す情報を利用して設定した優先順位をもとに、同期先の基地局として決定してもよいか、順次判断するようにしてもよい。
【符号の説明】
【００７４】
１０  通信システム、２０，３０  基地局、４０  ネットワーク、２１０，３１０  通信部、２２０  ＧＰＳ受信機、２３０，３３０  Ｉ／Ｆ部、２４０，３４０  記憶部、２５０，３５０  制御部、３２０  回線クロック取得部、ＡＮＴ  アンテナ。
【図１】
0005869431.tif 000002
【図２】
0005869431.tif 000003
【図３】
0005869431.tif 000004
【図４】
0005869431.tif 000005
【図５】
0005869431.tif 000006